(57)【特許請求の範囲】
【請求項１】
給水・給湯用屋内配管の主管を枝管に分岐させるヘッダーを住宅の床下の土間上に固定するヘッダー固定具であって、
ヘッダーを保持する保持部と、
前記保持部を土間面から離間して支持しうるように保持部の下側に複数突設された脚部と、
脚部の下端から略水平に、ヘッダーの軸方向と直交して張り出して形成された平板状の接地片と、
前記接地片の下面側に突設されて土間の土中に打ち込まれる支持杭とを備え、
前記保持部は、ヘッダーの本体部分に沿うように断面半円筒状に形成されて、前記本体部分を下側から抱持する本体受け部と、
ヘッダーの分岐継手部分に沿うように断面半円筒状に形成されて、前記分岐継手部分を抱持する継手受け部
とを備えたことを特徴とするヘッダー固定具。
【発明の詳細な説明】
【０００１】
【発明の属する技術分野】
この発明は、ヘッダー配管において用いられる給水・給湯用屋内配管の主管を枝管に分岐させるヘッダーの固定具に関する。
【０００２】
【従来の技術】
給水・給湯用配管においては、主管から枝管への配管に、分岐継手部を備えた円筒状のヘッダーが利用されている。従来、この種のヘッダーを住宅の床下に設置するに際しては、床下が土間の場合には、図３に示されるように、丸棒を逆Ｊ字形に屈曲させて形成した固定用杭１１０が用いられる。ヘッダー１２０は、土間面１０１に直置きされた状態で、各要所に固定用杭１１０の屈曲部が嵌合されるとともに、その固定用杭１１０の杭先が土中に打ち込まれて土間上に固定される。
【０００３】
【発明が解決しようとする課題】
しかし、前記のような固定用杭１１０を用いてヘッダー１２０を固定すると、ヘッダー１２０やその分岐継手部分１２１が、周囲の土に埋もれるおそれがあった。金属製のヘッダー１２０である場合には、この土との接触により腐食を起こしやすくなってしまうため好ましくなかった。
【０００４】
床下がコンクリートであれば、例えば、ヘッダーを床面から離間して支持する立管バンドと呼ばれる固定金具を用いて、ヘッダーをコンクリート床に固定することもできる。図４に示されるように、立管バンド１３０は、ヘッダー１２０に外嵌するリング状の保持部１３１と、保持部１３１を支持固定する脚部１３２と、これら保持部１３１及び脚部１３２とを接続する接続部１３３とを備える。この立管バンド１３０による場合、脚部１３２をコンクリートビス等で固定することによって、ヘッダー１２０がコンクリート床に固定される。また、立管バンド１３０では、ヘッダー１２０を床面から離間して支持することができ、ヘッダー１２０が床面に接触することはない。そこで、このような立管バンド１３０を、床下が土間の場合にも利用することが考えられる。しかし、立管バンド１３０を土間上に固定するには、図５に示すように、立管バンド１３０と土間面１０１との間にブロックや煉瓦、コンクリート板等を台座１４０として介在させ、これにコンクリートビス１３４を使用して固定しなければならない。すなわち、立管バンド１３０の使用では、ヘッダー１２０やその分岐継手部分が土に接触しないため腐食を防ぐことは可能となるが、台座１４０となる材料を別途用意しなければならず、施工工程が煩雑になるといった問題がある。
【０００５】
本発明は以上のような事情に鑑みてなされたものであり、その目的とするところは、住宅の床下の土間上へのヘッダーの固定に、従来のような煩雑さを伴わず、かつ、ヘッダー及びその分岐継手部分の腐食を防ぐことのできるヘッダー固定具を提供することにある。
【０００６】
【課題を解決するための手段】
上記の目的を達成するため、本発明は、給水・給湯用屋内配管の主管を枝管に分岐させるヘッダーを住宅の床下の土間上に固定するヘッダー固定具であって、
ヘッダーを保持する保持部と、前記保持部を土間面から離間して支持しうるように保持部の下側に複数突設された脚部と、脚部の下端から略水平に、ヘッダーの軸方向と直交して張り出して形成された平板状の接地片と、前記接地片の下面側に突設されて土間の土中に打ち込まれる支持杭とを備え、前記保持部は、ヘッダーの本体部分に沿うように断面半円筒状に形成されて、前記本体部分を下側から抱持する本体受け部と、ヘッダーの分岐継手部分に沿うように断面半円筒状に形成されて、前記分岐継手部分を抱持する継手受け部とを備えたことを特徴とする。
【０００７】
この発明によれば、土間上に固定されるヘッダーは、固定後は土間面から離間して支持されるため、土に触れることがなく、腐食するおそれがない。従って、ヘッダー及びヘッダーに接続される配管の耐久性を減じることなく固定することができる。
【０００８】
保持部の具体的な構成としては、ヘッダーの本体部分に沿うように断面半円筒状に形成されて、前記本体部分を下側から抱持する本体受け部と、ヘッダーの分岐継手部分に沿うように断面半円筒状に形成されて、前記分岐継手部分を抱持する継手受け部とを有することとした。
【０００９】
これによれば、ヘッダーの本体部分が安定して保持され、振動や外力によって固定具からヘッダーが落下したり転倒することを防止できるとともに、分岐継手部分を覆って保護することができる。
【００１０】
【発明の実施の形態】
以下、本発明に係るヘッダー固定具の実施の形態について、図面を参照しつつ説明する。
【００１１】
図１及び図２は、本発明の実施の形態を示す。図１は、ヘッダーを固定したヘッダー固定具の断面図、図２は、ヘッダー固定具の斜視図である。
【００１２】
ヘッダー固定具１は、ヘッダー２を保持する保持部１１と、この保持部１１の下側に突設された脚部１２と、脚部１２に形成された接地片１３と、接地片１３の下面側に突設された支持杭１４とを備え、これらが一体に形成されている。
【００１３】
本実施の形態では、保持部１１には、本体受け部１１ａと継手受け部１１ｂとが形成される。本体受け部１１ａは、ヘッダー２の本体部分２１に沿うよう半円筒形状に形成され、ヘッダー２の本体部分２１を下側から抱持する。このとき、本体受け部１１ａの内径はヘッダー２の本体部分２１の外径に対応させる。例えば、ヘッダー２に保温材その他の管被覆を施している場合には、本体受け部１１ａの内径は、この管被覆を含めたヘッダー２の外径に対応させたものとすることが好ましい。
【００１４】
継手受け部１１ｂは、ヘッダー２の分岐継手部分２２に沿って半円筒形状に形成され、枝管３が接続された分岐継手部分２２を抱持する。この継手受け部１１ｂは、ヘッダー２に形成されている分岐継手部分２２の個数に合わせて複数個設けられる。ここでは、本体受け部１１ａの側部において、ヘッダー２の軸に直交する方向に３個の継手受け部１１ｂが設けられる。また、継手受け部１１ｂは、ヘッダー２の形状に合わせて、図１に示すように本体受け部１１ａの両側に設けられても、図２に示すように本体受け部１１ａの片側に設けられてもよい。
【００１５】
脚部１２は、ヘッダー２の軸方向に沿って複数突設され、保持部１１を土間面４１から離間して支持する。
【００１６】
接地片１３は、脚部１２の下端から略水平に張り出し、ヘッダー２の軸方向と直交する方向に平板状に形成される。この接地片１３が土間面４１に当接することによって、脚部が土中にめり込むのを防ぐ。
【００１７】
支持杭１４は、接地片１３の下面側から垂直方向に延出される。支持杭１４の杭先は漸次縮径して鋭利に形成され、容易に土中に貫入する。この支持杭１４が土間４に打ち込まれることにより、ヘッダー固定具１は土間上に固定される。
【００１８】
このようなヘッダー固定具１は、強度や耐腐食性等を考慮し、例えば、塩化ビニル樹脂（ＰＶＣ）、ポリプロピレン（ＰＰ）、ポリエチレン（ＰＥ）等のプラスチック系材料、又はステンレス鋼（ＳＵＳ）、亜鉛メッキ鋼板等の金属系材料により形成されることが望ましい。
【００１９】
以上のように構成されるヘッダー固定具１は、支持杭１４を土中に打ち込むだけで、土間上に容易に固定することができる。ヘッダー２の本体部分２１は、土間上に設置したヘッダー固定具１の本体受け部１１ａに嵌合して容易に固定される。また、ヘッダー２に接続される継手部分及び枝管はともに、継手受け部１１ｂに嵌合させる。これにより、ヘッダー２の本体部分２１及び分岐継手部分２２は、土間面から離間して安定的に固定されることとなり、土に接触することがないため、腐食のおそれもなくすことができる。
【００２０】
なお、本体受け部１１ａは、１ｍｍ〜１０ｍｍ程度の厚さを有し、これに突設される脚部１２は、本体受け部１１ａの下側においてバランス良く２箇所に形成されている。また、支持杭１４は接地片１３の下面から１０ｃｍ〜５０ｃｍ程度の長さで形成される。これらヘッダー固定具１の各部の厚みや長さは、抱持するヘッダー２の大きさに応じて適宜決定される。また、脚部１２や継手受け部１１ｂの設けられる数は前記した数に限られず、抱持するヘッダー２の大きさや形状に合わせて決定される。接地片１３の形態も、前記のように一つの脚部１２の下端にのみ接続して形成されるものに限られず、例えば複数の脚部１２にわたり一体として平板状に形成されてもよい。
【００２１】
【発明の効果】
以上説明したように、本発明に係るヘッダー固定具は、ヘッダーを保持する保持部と、この保持部を土間面から離間して支持しうるように保持部の下側に突設された脚部と、脚部の下端から略水平に張り出して形成された接地片と、接地片の下面側に突設されて土間に打ち込まれる支持杭とを備える。これにより、土間上に固定されるヘッダーは、固定後は土間面から離間して支持される。よって、土に触れることがなく、腐食するおそれがないため、ヘッダー及びヘッダーに接続される配管の耐久性を減じることなく固定することができる。
【００２２】
また、保持部として、ヘッダーの本体部分に沿うように形成されて本体部分を下側から抱持する本体受け部と、ヘッダーの分岐継手部分に沿うように形成されて分岐継手部分を抱持する継手受け部とを備えることにより、ヘッダーの本体部分が安定して保持され、振動や外力によって固定具からヘッダーが落下したり転倒することを防止できるとともに、分岐継手部分を下側から覆って保護することができる。
【図面の簡単な説明】
【図１】  本発明に係るヘッダー固定具の断面図である。
【図２】  本発明に係るヘッダー固定具の斜視図である。
【図３】  従来の土間上へのヘッダーの固定方法を示す斜視図である。
【図４】  従来の固定金具を用いたヘッダーの固定方法を示す斜視図である。
【図５】  従来の固定金具を用いたヘッダーの固定方法を示す斜視図である。
【符号の説明】
１        ヘッダー固定具
１１      保持部
１１ａ    本体受け部
１１ｂ    継手受け部
１２      脚部
１３      接地片
１４      支持杭
２        ヘッダー
２１      本体部分
２２      分岐継手部分
４        土間
【図１】
0004268370.tif 000002
【図２】
0004268370.tif 000003
【図３】
0004268370.tif 000004
【図４】
0004268370.tif 000005
【図５】
0004268370.tif 000006